(57)【要約】【課題】再生専用情報記録層と情報記録層の双方を有する各種光記録媒体の記録再生特性を向上させる。【解決手段】波長λが４００〜４１０ｎｍとなるレーザー光を、開口数ＮＡが０．８〜０．９となる光学系を介して情報記録層に照射することで記録再生が可能な光記録媒体１であって、この情報記録層として、予め情報が記録されたＬ１再生専用情報記録層２２と、Ｌ１再生専用情報記録層２２とは別の層であって追記型又は書換型による情報記録が可能なＬ０情報記録層２０とを少なくとも備えるようにした。更に、Ｌ１再生専用情報記録層２２は、レーザー光の光入射面３８Ａから最も近い位置に配置した。【選択図】図１
2009123278.tif 000002
【特許請求の範囲】
【請求項１】
波長λが４００〜４１０ｎｍとなるレーザー光を、開口数ＮＡが０．８〜０．９となる光学系を介して情報記録層に照射することで記録再生が可能な光記録媒体であって、
前記情報記録層として、予め情報が記録された再生専用情報記録層と、前記再生専用情報記録層とは別の層であって追記型又は書換型による情報記録が可能な情報記録層と、を少なくとも備え、
前記再生専用情報記録層は、前記レーザー光の光入射面から最も近い位置に配置されていることを特徴とする光記録媒体。
【請求項２】
請求項１において、
前記情報記録層は、前記光入射面から６０μｍより離れた位置に配置されていることを特徴とする光記録媒体。
【請求項３】
請求項１又は２において、
前記再生専用情報記録層は、前記光入射面から８０μｍ以内に配置されていることを特徴とする光記録媒体。
【請求項４】
請求項１、２又は３において、
前記情報記録層を３層以上備えることを特徴とする光記録媒体。
【発明の詳細な説明】
【技術分野】
【０００１】
本発明は、レーザー光の照射によって記録再生が可能な情報記録層を多層に備える光記録媒体に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭなどの光記録媒体が広く利用されている。一方、この種の光記録媒体に要求される記録容量は年々増大してきており、その要求に対応する為に、大容量の動画やデータを収録できる、いわゆる次世代型光ディスクの商品化が始まっている。次世代型光ディスクは、記録再生に用いるレーザー光の波長を４０５ｎｍと短くすることで記録容量の増大を図っている。
【０００３】
例えば、次世代型ＤＶＤ規格の一つであるＢｌｕ−ｒａｙ  Ｄｉｓｃ（ＢＤ）規格では、対物レンズの開口数を０．８５に設定することで、１つの記録層に対して２５ＧＢもの記録再生を可能にしている。
【０００４】
一方、動画やデータの容量は今後益々増大することが予想されている。従って、光記録媒体における情報記録層を多層化することで光記録媒体の容量を増大させる方法が検討されている。ＢＤ規格の光記録媒体では、６層〜８層の情報記録層を設けることで、２００ＧＢもの超大容量を実現する技術が提案されている。
【０００５】
ところで従来、光記録媒体において、情報記録層の一部を再生専用領域（以下、ＲＯＭ領域）とし、残りの部分を追記型又は書換型の記録専用領域として用いる手法も提案されている。このようにすると、ＲＯＭ領域には映画等のコンテンツを予め記録することでコンテンツ再生目的として活用し、余った領域を記録専用領域とすることでデータの記録も可能な光記録媒体を得ることができる。
【非特許文献１】I. Ichimura et. al., Appl. Opt, 45, 1974-1803 (2006)
【非特許文献２】K. Mishima et. al., Proc. of SPIE, 6282, 62820I (2006)
【発明の開示】
【発明が解決しようとする課題】
【０００６】
しかし、従来のように、情報記録層の一部をＲＯＭ領域、残りを記録専用領域として用いる手法では、近年の大容量化に伴って、ＲＯＭ領域と記録専用領域のそれぞれの記録容量を十分に確保することが難しいという問題があった。
【０００７】
そこで、情報記録層が多層化された光記録媒体を採用して、記録専用記録層と再生専用記録層をそれぞれ設けることで、各記録容量の減少を回避することが考えられる。しかし、機能の異なる情報記録層を組み合わせて光記録媒体を多層化する場合、各情報記録層において記録・再生品質を高く維持することが難しく、現在も、望ましい媒体構成が明らかにされていない。特に、再生専用記録層を含む光記録媒体は、映画等の固定コンテンツを再生する為に用いられることから、そのコンテンツの再生が終了すると記録再生装置から取り出される場合が多い。結果、光記録媒体に指紋や異物が付着し易いため、記録・再生品質が悪化し易いという問題があった。
【０００８】
本発明は上記問題点に鑑みてなされたものであり、光記録媒体に再生専用領域を含める際に、記録再生品質を良好に維持することが可能な光記録媒体を提供することを目的としている。
【課題を解決するための手段】
【０００９】
本発明者らの鋭意研究により、上記目的は以下の手段によって達成される。
【００１０】
（１）波長λが４００〜４１０ｎｍとなるレーザー光を、開口数ＮＡが０．８〜０．９となる光学系を介して情報記録層に照射することで記録再生が可能な光記録媒体であって、前記情報記録層として、予め情報が記録された再生専用情報記録層と、前記再生専用情報記録層とは別の層であって追記型又は書換型による情報記録が可能な情報記録層と、を少なくとも備え、前記再生専用情報記録層は、前記レーザー光の光入射面から最も近い位置に配置されていることを特徴とする光記録媒体。
【００１１】
（２）上記（１）において、前記情報記録層は、前記光入射面から６０μｍより離れた位置に配置されていることを特徴とする光記録媒体。
【００１２】
（３）上記（１）又は（２）において、前記再生専用情報記録層は、前記光入射面から８０μｍ以内に配置されていることを特徴とする光記録媒体。
【００１３】
（４）上記（１）、（２）又は（３）において、前記情報記録層を３層以上備えることを特徴とする光記録媒体。
【発明の効果】
【００１４】
本発明によれば、再生専用情報記録層と情報記録層を有する場合に、光入射面等に指紋や異物が付着しても記録再生品質を高く維持することが可能な光記録媒体を得ることができるという優れた効果を奏し得る。
【発明を実施するための最良の形態】
【００１５】
以下、図面を参照しながら本発明の実施の形態について詳細に説明する。
【００１６】
図１（Ａ）には、本発明の実施形態に係る光記録媒体１の全体構成が示されている。この光記録媒体１は外形が約１２０ｍｍ、厚みが約１．２ｍｍとなる円盤状の媒体である。図１（Ｂ）に拡大して示されるように、光記録媒体１は、基板１０と、Ｌ０情報記録層２０と、第１スペーサー層３０と、Ｌ１情報記録層２２と、第２スペーサー層３２と、Ｌ２再生専用情報記録層２４と、カバー層３６と、ハードコート層３８がこの順に積層されて構成される。
【００１７】
第１、第２スペーサー層３０、３２、カバー層３６及びハードコート層３８は、全て光透過性を有しており、外部から入射されるレーザー光を透過するようになっている。この結果、ハードコート層３８の光入射面３８Ａから入射されるレーザー光Ｚを用いれば、Ｌ０、Ｌ１情報記録層２０、２２に対する情報の記録や、Ｌ０〜Ｌ２情報記録層２０、２２、２４に対する情報の再生が可能となっている。
【００１８】
Ｌ２再生専用情報記録層２４は、光記録媒体１の光入射面３８Ａに最も近い情報記録層となり、Ｌ０情報記録層２０は、光入射面３８Ａから遠い側の情報記録層となる。また、各情報記録層２０、２２の記録容量は３０ＧＢである。なお、情報記録層毎に記録容量を異ならせることも可能である。
【００１９】
基板１０は、厚さ約１．１ｍｍのとなる円盤状の部材であり、その素材として例えば、ガラス、セラミックス、樹脂等の種々の材料を用いることができる。ここではポリカーボネート樹脂を用いている。なお、樹脂としてはポリカーボネート樹脂以外にも、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を採用することも出来る。中でも加工や成型の容易性から、ポリカーボネート樹脂やオレフィン樹脂が好ましい。また、基板１０におけるＬ０情報記録層２０側の面には、情報を記録する際に用いるグルーブ、ランド等が形成される。
【００２０】
Ｌ０、Ｌ１情報記録層２０、２２及びＬ２再生専用情報記録層２４はデータを保持する層である。一般的に、情報記録層のデータの保持形態としては、予めデータが書き込まれており書換が不能な再生専用型や、利用者による書き込みが可能な記録専用型があるが、Ｌ０情報記録層２０及びＬ１情報記録層２２は記録専用型を採用している。データの保持形態が記録専用型の場合、詳細には、一度データを書き込んだエリアに再度データの書き込みが出来ない追記型と、データを書き込んだエリアに対してデータを消去し、再度書き込みが可能な書換型とがあり、いずれであっても構わないが、本実施形態ではＬ０、Ｌ１情報記録層２０、２２に追記型を採用している。
【００２１】
一方、Ｌ２再生専用情報記録層２４は再生専用型を採用している。従って、Ｌ２再生専用情報記録層２４には、製造段階で予めデータが書き込まれていることになる。
【００２２】
第１スペーサー層３０は、Ｌ０情報記録層２０とＬ１情報記録層２２の間に積層されており、これらの間を離間させる機能を有する。このＬ１情報記録層２２側の面には、情報を記録する際に用いるグルーブ、ランド等が形成される。なお、第１スペーサー層３０の材料は様々なものを用いることが出来るが、既に述べたように、レーザー光Ｚを透過させる為に光透過性材料を用いる必要がある。例えば、紫外線硬化性アクリル樹脂を用いることも好ましい。
【００２３】
基板１０及び第１スペーサー層１０、３０に形成されるグルーブは、Ｌ０、Ｌ１情報記録層２０、２２にデータを記録するためのレーザー光Ｚのガイドトラックとしての役割を果たし、このグルーブに沿って進行するレーザー光Ｚのエネルギー強度が変調される事によって、グルーブ上のＬ０、Ｌ１情報記録層２０、２２に記録マークが形成される。
【００２４】
また、本実施形態のように、Ｌ０、Ｌ１情報記録層２０、２２のデータ保持態様が追記型の場合は、この記録マークが不可逆的に形成され、消去することが出来ない。一方、データ保持態様を書き換え型とする場合、記録マークが可逆的に形成され、消去及び再形成可能となる。その中でもＬ１情報記録層２２に関しては、記録膜について光透過性と光反射特性の双方を併せ持つ必要がある。又ここではグルーブ上に記録マークを形成する場合を説明したが、ランド上に形成しても良く、グルーブとランドの双方に形成することも可能である。
【００２５】
第２スペーサー層３２は、Ｌ１情報記録層２２とＬ２再生専用情報記録層２２の間に積層されており、これらの間を離間させる機能を有する。この第２スペーサー層３２の光入射面３８Ａ側表面には、再生専用のコンテンツとなるデータビット列が形成される。スペーサー層３０の材料は様々なものを用いることが出来るが、既に述べたように、レーザー光Ｚを透過させる為に光透過性材料を用いる必要がある。例えば、紫外線硬化性アクリル樹脂を用いることも好ましい。
【００２６】
Ｌ２再生専用情報記録層２２は、いわゆる反射膜となる。しかし、Ｌ０、Ｌ１情報記録層２０、２２に対して十分なレーザー光Ｚを照射するためには、Ｌ１再生専用情報記録層２２は高い光透過性を併せ持つ必要がある。従って、Ｌ１再生専用情報記録層２２は、反射膜の膜厚を小さくすることで、光透過性と光反射特性の双方の特性を併せ持つようにする。
【００２７】
又この光記録媒体１では、第１スペーサー層３０の厚みが１７μｍ、第２スペーサー層３２の厚みが１３μｍに設定されている。なお、ここではスペーサー層３０、３２の厚みを互いに異ならせることで、再生信号の干渉を低減させている。なお、ハードコート層３８の厚みは２μｍ、カバー層３６の厚みは６８μｍに設定されている。
【００２８】
この結果、この光記録媒体１では、Ｌ２再生専用情報記録層２４は、光入射面３８Ａから８０μｍ以下、とりわけ７５μｍ以下に配置されている。一方、Ｌ０、Ｌ１情報記録層２０、２２は光入射面３８Ａから６０μｍより離れた場所、特に、６５μｍより離れた場所に配置される。なお、すべての情報記録層２０、２２、２４は、光入射面３８Ａから１１０μｍ以下に配置される。
【００２９】
記録型となるＬ０、Ｌ１情報記録層２０、２２は、情報の記録時において光入射面３８Ａの異物の影響を受けると共に、再生時にも光入射面３８Ａの異物の影響を受ける。従って、Ｌ０、Ｌ１情報記録層２０、２２は、指紋等の異物の影響を受けやすい。更に、これらのＬ０、Ｌ１情報記録層２０、２２に情報が一旦誤って書き込まれてしまうと、再生時等において事後的にこの誤りを修復することが困難となる。一方、Ｌ２再生専用情報記録層２４は、製造時に情報が正確に記録されていることから、再生時に限って光入射面３８Ａの異物の影響を受ける。従って、Ｌ０、Ｌ１情報記録層２０、２２と比較して、指紋等の異物の影響が受けにくい。また、異物を除去すれば再生品質を回復することもできる。
【００３０】
特に、本発明者らの研究によると、光入射面３８Ａから８０μｍより離れた場所、特に１００μｍ以上離れた情報記録層は、指紋が付着してもエラーレートを低く抑えることができる。しかし、情報記録層の位置が光入射面３８Ａから６５μｍ以内になると、エラーレートが次第に増加し、特に６０μｍ以内になると許容値を超えやすい。
【００３１】
以上の知見から、本実施形態では、Ｌ０、Ｌ１情報記録層２０、２２をできる限り光入射面３８Ａから遠ざけるようにし、一方で、Ｌ２再生専用情報記録層２４を、光入射面３８Ａに近づけることで、光記録媒体１を多層化する際にその厚さ方向を有効活用するようにしている。
【００３２】
図２には、この光記録媒体１に対して情報を記録・再生する光記録再生システム１００の構成が示されている。この光記録再生システム１００は、再生に利用するレーザー光Ｚを発生させるレーザー光源１０２、レーザー光源１０２を制御するレーザーコントローラ１０４、レーザー光Ｚを光記録媒体１に導く光学機構１０６、レーザー光Ｚの反射光を検出する光検出装置１０８、この光検出装置１０８の検出情報を、ＰＲＭＬ識別方式で復号するＰＲＭＬ処理装置１１０、光記録媒体１を回転させるスピンドルモータ１１２、スピンドルモータ１１２を回転制御するスピンドルドライバ１１４、特に図示しないＣＰＵ（中央演算装置）との間で復号後の再生データのやり取りを行う信号処理装置１１６を備える。
【００３３】
レーザー光源１０２は半導体レーザーであり、レーザーコントローラ１０４によって制御されてレーザー光Ｚを発生させる。光学機構１０６は、対物レンズや偏光ビームスプリッタを備え、レーザー光Ｚの焦点を情報記録層に適宜合わせることが可能となっている。なお、偏光ビームスプリッタは、情報記録層の反射光を取り出して光検出装置１０８に導く。光検出装置１０８はフォトディテクタであり、レーザー光Ｚの反射光を受光して電気信号に変換し、再生信号としてＰＲＭＬ処理装置１１０に出力する。ＰＲＭＬ処理装置１１０では、この再生信号を復号化し、復号化された２値の識別信号を信号処理装置１１６に出力する。
【００３４】
更にこの光記録再生システム１００では、レーザー光Ｚの波長λが４００〜４１０ｎｍに設定されている。また、光学機構１０６における対物レンズ１０６Ａの開口数ＮＡは０．８〜０．９、好ましくは０．８４〜０．８６に設定されている。詳細に、レーザー光Ｚの波長λは４０５ｎｍ、対物レンズ１０６Ａの開口数ＮＡは０．８５に設定されている。また、この光再生系のクロック周波数ｆは、６６ＭＨｚに設定されており、スピンドルドライバ１１４によって回転制御される光記録媒体１の線速度ＬＶは１Ｘ（４．１ｍ／ｓ）〜４Ｘ（１６．４ｍ／ｓ）を含む範囲内で自在に制御できるようになっている。
【００３５】
光記録媒体１に対する記録再生を行うには、所定のパワーによってレーザー光源１０２からレーザー光Ｚを発生させ、このレーザー光Ｚを光記録媒体１の情報記録層に照射する。記録時は、レーザー光によってＬ０情報記録層２０、又はＬ１情報記録層２２を加熱して記録マークを形成する。再生時は、Ｌ０情報記録層２０、Ｌ１情報記録層２２又はＬ２再生専用情報記録層２４にレーザー光Ｚを照射し、その反射光を光学機構１０６を介して取り出して光検出装置１０８で実際の再生信号とする。
【００３６】
以上、本実施形態の光記録媒体１は、Ｌ０情報記録層２０、Ｌ１情報記録層２２、Ｌ２再生専用情報記録層２４を備えた多層構造になっており、更に、Ｌ２再生専用情報記録層２４は、光入射面３８Ａに最も接近して配置される。この結果、光入射面３８Ａに指紋等の異物が付着した際における記録・再生エラーを低減することが可能となる。
【００３７】
具体的に、Ｌ２再生専用情報記録層２４には、スタンパを利用して立体的なデータビットによる記録マークが予め正確に記録されているため、光入射面３８Ａに異物が付着しても、再生品質の悪化を極力抑制することが可能となる。つまり、このＬ２再生専用情報記録層２４を光入射面３８Ａ側に近接配置しても、再生品質を高く維持することが可能になる。この結果、光記録媒体１の光入射面３８Ａ近傍の領域を有効活用することができる。また、異物の存在によって再生不能になった場合は、この異物を拭きとるだけで、その再生不能状態を解消することが可能になる。
【００３８】
一方、Ｌ０、Ｌ２情報記録層２０、２２は、記録時において光入射面３８Ａの異物の影響を受けることから、指紋等の耐久性が低い。そこで、Ｌ２再生専用情報記録層２４を光入射面３８Ａに近づける一方で、Ｌ０、Ｌ１情報記録層２０、２２を光入射面３８Ａから遠ざけるようにして、指紋等の影響を小さくする。この結果、Ｌ０、Ｌ１情報記録層２０、２２では、記録・再生品質を常に高い状態で維持することができるようになる。このようにして、光記録媒体１では、記録型のＬ０、Ｌ１情報記録層２０、２２と、再生専用型のＬ１再生専用情報記録層２２が共に合理的に積層されているので、記録容量を増大させながら、コンテンツの再生専用機能と情報記録専用機能を両立させることが可能となる。
【００３９】
更に本実施形態では、Ｌ０、Ｌ１情報記録層２０、２２が、光入射面３８Ａから７０μｍより離れた位置に配置されている。既に説明したように、ＢＤ規格の光記録媒体１では、光入射面３８Ａから７０μｍ以内の範囲に情報記録層を配置すると、指紋等の異物の影響が増大する。そこで、指紋の耐久性が低いＬ０、Ｌ１情報記録層２０、２２を、光入射面３８Ａから７０μｍより離反させることで、記録・再生品質を高く維持することが可能になる。
【００４０】
一方、本実施形態では、光入射面３８Ａから８０μｍ以内にＬ２再生専用情報記録層２４を配置する。このように、指紋等の異物による記録・再生への悪影響が大きい領域に、このＬ２再生専用情報記録層２４を積極的に積層することで、記録型の情報記録層では活用し難い領域を、再生専用型の情報記録層で有効活用することができる。
【００４１】
＜検証例＞
【００４２】
光記録媒体１における情報記録層の位置と記録再生品質を把握するために、光記録再生システム１００を用いて、情報記録層を変化させた光記録媒体を再生した場合を示す。
【００４３】
［サンプル媒体の作成］
【００４４】
まず、射出成型法によって基板を製造した。基板の表面にはトラックピッチが０．３２μｍとなる螺旋状のグルーブを形成した。基板の素材としてポリカーボネート樹脂を用い、厚みを１．１ｍｍ、直径１２０ｍｍに設定した。
【００４５】
次に、この基板をスパッタリング装置にセットし、グルーブが形成される側の表面に対して厚さ４８ｎｍとなる情報記録層を形成した。具体的には、情報記録層の組成は、ビスマス（Ｂｉ）、酸素（Ｏ）、ゲルマニウム（Ｇｅ）であり、その組成比率（ａｔｍ％）をＢｉ：Ｏ：Ｇｅ＝２２：６４：１４に設定した。
【００４６】
次に、情報記録層が形成された基板をスピンコート装置にセットし、回転させながらアクリル系紫外線硬化性樹脂を滴下し、これをスピンコートした。その後、スピンコートされた樹脂の表面に対して、螺旋状のグルーブパターンを有する光透過性スタンパを押し当て、この光透過性スタンパを介して、紫外線を樹脂に照射して硬化させた。硬化後に、光透過性スタンパを剥離することで、螺旋状のグルーブを備えた厚み４８μｍのカバー層を形成した。
【００４７】
次に、カバー層の上に、紫外線／電子線硬化型ハードコート剤をスピンコート法により塗布した後、大気中で３分間加熱して被膜内部の希釈溶剤を除去し、未硬化ハードコート材料層を形成した。この未硬化のハードコート材料層に対して、表面材料溶液をスピンコート法によって塗布した。なお、この表面材料溶液は、フッ素系溶剤（９９．５重量部）に、パーフルオロポリエーテルジアクリレート（０．３３重量部、分子量：約２０００）と、３−パーフルオロオクチル−２−ヒドロキシプロピルアクリレート（０．１７重量部）とを加えて調整したものである。その後、ハードコート材料層を６０℃で３分間乾燥し、更に、窒素気流下で電子線を照射してハードコート材料層と表面材料溶液を同時に硬化させ、厚み２μｍのハードコート層を完成させた。なお、電子線の照射については、電子線照射装置Ｃｕｒｅｔｒｏｎ（日新ハイボルテージ株式会社製）を用い、電子線加速電圧を２００ｋＶ、照射線量を５Ｍｒａｄとした。照射雰囲気の酸素濃度は８０ｐｐｍであった。このようにして、光入射面から情報記録層までの距離が５０μｍとなるサンプルの光記録媒体を得た。
【００４８】
同様の手順で、カバー層の厚みを、５８μｍ、６８μｍ、７８μｍ、８８μｍ、９８μｍと変化させることで、ハードコート層を含めた光入射面から情報記録層までの距離が、６０μｍ、７０μｍ、８０μｍ、９０μｍ、１００μｍとなるようにし、合計６種類のサンプル光記録媒体を作成した。
【００４９】
［人口指紋の生成］
【００５０】
次に、これらのサンプル光記録媒体の光入射面３８Ａに人工指紋を付着させた。人口指紋の付着手順として、まず人工指紋の素材として、微粒子粉体のＪＩＳＺ８９０１に定められた試験用粉体１第１１種（中位径：１．６〜２．３μｍ）の関東ローム（０．４重量部）と、分散媒として機能するトリオレイン（１．０重量部）と、希釈剤として機能するメトキシプロパノール（１０．０重量部）を混合・攪拌して、これを人工指紋液とした。
【００５１】
次に、擬似指紋パターン転写用の原版を作製した。具体的には、人工指紋液をマグネティックスターラーでよく攪拌しながら約１ｍＬを採取し、これをポリカーボネート製基板（直径１２０ｍｍ、厚さ１．２ｍｍ）上にスピンコート法により塗布した。この基板を６０℃で３分間加熱して、不要な希釈剤であるメトキシプロパノールを完全に除去した。このようにして、擬似指紋パターン転写用の原版を得た。
【００５２】
更に、Ｎｏ．１シリコーンゴム栓の小さい方の端面（直径１２ｍｍ）を、＃２４０の研磨紙（ＪＩＳ規定のＡＡ２４０研磨紙と同等性能を有する）で一様に研磨し、擬似指紋転写材（いわゆる擬似的な指先）を形成した。この擬似指紋転写材の研磨端面を、上記原版に荷重４．９Ｎで１０秒間押し当てて人工指紋液成分を転写材の前記端面に移行させ、更に、この人工指紋液成分の付着量を予め低減させるために、この転写材の前記端面を、ポリカーボネート基板に荷重４．９Ｎで１０秒間押し当てる操作を、このポリカーボネート基板の異なる箇所に連続して３回行った。
【００５３】
このようにして準備された擬似指紋転写材の端面を、サンプル光記録媒体のハードコート層の光入射面において、中心から半径方向に４０ｍｍ付近のところに荷重２９Ｎで１０秒間押し当てて、人工指紋液成分を光入射面に転写し、これを人口指紋とした。
【００５４】
［サンプル媒体の評価］
【００５５】
この人口指紋が付着した光記録媒体に対して、光記録再生システム１００を利用して情報を記録した。光記録再生システム１００による記録条件は、レーザー光Ｚの波長λを４０５ｎｍ、対物レンズ１０６Ａの開口数ＮＡを０．８５、記録時のチャネルビット周波数ｆを６６ＭＨｚ、スピンドルドライバ１１４によって回転制御される光記録媒体１の記録時の線速度ＬＶを４．１ｍ／ｓに設定した。また、最適記録パワー条件として、記録パワーＰｗ＝８．３ｍＷ、消去パワーＰｅ＝３．２ｍＷ、冷却パワーＰｂ＝０．１ｍＷに設定して所定の情報を記録した。なお、この条件では、光記録媒体の情報記録層の記録容量が３０ＧＢになる。
【００５６】
次に、この光記録媒体１を光記録再生システム１００によって再生し、品質を評価した。再生時における光記録再生システム１００は、レーザー光Ｚの波長λを４０５ｎｍ、対物レンズ１０６Ａの開口数ＮＡを０．８５、光再生系のクロック周波数ｆを６４．８ＭＨｚ、スピンドルドライバ１１４によって回転制御される光記録媒体１の線速度ＬＶを４．０３ｍ／ｓに設定した。更に、この光記録再生システム１００におけるＰＲＭＬ処理装置１１０の拘束長ｎを５（１２２２１）に設定した。
【００５７】
光記録再生システム１００による再生品質の評価指標としてＳｂＥＲを用いた。ＳｂＥＲ（Ｓｉｍｕｌａｔｅｄ  ｂｉｔ  Ｅｒｒｏｒ  Ｒａｔｅ）とは、複数の再生信号に関してＳＡＭ値を算出し、この複数のＳＡＭ値から得られる正規分布の平均及び標準偏差に基づいて誤認識の発生確率を評価するものであり、値が小さいほど優れた信号品質となる。ここではパルステック工業株式会社のＳｂＥＲ測定ユニットを利用した。この評価結果を図３に示す。
【００５８】
本実験結果から分かるように、光入射面から略１００μｍに情報記録層がある場合は、指紋が付着してもエラーレートが低い。しかし、情報記録層が光入射面から約８０μｍ以内に存在すると、ＳｂＥＲが悪化して、平常時の許容基準であるＳｂＥＲ＝２×１０−５を上回ってしまい、信号再生品質が悪化する結果となった。また、光入射面３８Ａから情報記録層までの距離が、６５μｍ以下、特に６０μｍ以下になると、異常時の許容基準であるＳｂＥＲ＝４×１０−４も超えてしまい、記録型の情報記録層としては、実質的に使用不能となる程度に品質の悪化が増大することが明らかとなった。従って、記録型の情報記録層は、光入射面から６０μｍより離れた位置に配置されるようにし、一方で、再生専用情報記録層は、光入射面から８０μｍ以内に配置することで、記録型の情報記録層が利用し難い領域を有効活用することが好ましいことが分かった。
【００５９】
なお、本実施形態では、光記録媒体における情報記録層が３層構造である場合に限って示したが、本発明はそれに限定されず、２層又は４層以上の光記録媒体でもよい。また、Ｌ０、Ｌ１情報記録層が追記型の場合に限って示したが、本発明はそれに限定されず、書換型等の他の情報保持形態であっても構わない。情報記録層を３層以上にする場合、再生専用情報記録層を２層以上配置してもよい。
【００６０】
例えば、図４に示されるように、光記録媒体１を４層構造とする場合は、Ｌ０〜Ｌ２情報記録層２０、２２、２４を、書換型又は追記型の記録専用型とし、光入射面３８Ａに最も近いＬ３再生専用情報記録層２６を再生専用型（ＲＯＭ型）とすることが好ましい。この場合、第１スペーサー層３０は１３μｍ、第２スペーサー層３１は１６μｍ、第３スペーサー層３２は１０μｍに設定することが可能である。
【００６１】
また、光入射面から各情報記録層までの距離も、本実施例に限定されるものではない。例えば、本実施形態では２つの情報記録層の全てが光入射面から１００μｍ以内に積層される場合に限って示したが、本発明はそれに限定されない。多層化する際には、一部の情報記録層が１００μｍ以上の場所に積層されるようにしても良いが、好ましくは、１１０μｍ以内の場所に積層する。
【００６２】
尚、本発明の光記録媒体は、上記した実施の形態に限定されるものではなく、本発明の要旨を逸脱しない範囲内において種々変更を加え得ることは勿論である。
【産業上の利用可能性】
【００６３】
本発明は、再生専用情報記録層と情報記録層の双方を有する各種光記録媒体に幅広く適用することが可能である。
【図面の簡単な説明】
【００６４】
【図１】本発明の実施の形態の例に係る光記録媒体を示す斜視図、及び拡大断面図
【図２】同光記録媒体を記録再生するための光記録再生システムの構成を示すブロック図
【図３】サンプル光記録媒体の情報記録層の位置と指紋付着時のエラーレートとの関係を示すグラフ図
【図４】本発明の実施の形態の他の例に係る光記録媒体を示す拡大断面図
【符号の説明】
【００６５】
１        ・・・        光記録媒体
１０        ・・・        基板
２０        ・・・        Ｌ０情報記録層
２２        ・・・        Ｌ１情報記録層
２４        ・・・        Ｌ２再生専用情報記録層
３０        ・・・        第１スペーサー層
３２        ・・・        第２スペーサー層
３６        ・・・        カバー層
３８        ・・・        ハードコート層
３８Ａ    ・・・        光入射面
１００    ・・・        光記録再生システム
【図１】
2009123278.tif 000003
【図２】
2009123278.tif 000004
【図３】
2009123278.tif 000005
【図４】
2009123278.tif 000006